(57)【要約】【課題】本考案の容器は、化粧液等の化粧品を内部に収納した状態でその鮮度を長期にわたって維持し得る斬新な容器を提供する。【解決手段】本考案に係る容器１は、プラスチック基材又は陶基材に、フェライト磁石粉末と、遠赤外線発生粉末と、イオン発生粉末と、ゲルマニウム粉末とを配合した内容器用素材を成型して得られた直方体状の内容器２及び蓋４と、陶基材又はプラスチック基材に、フェライト磁石粉末と、遠赤外線発生粉末と、イオン発生粉末と、ゲルマニウム粉末とを配合して得られた外容器用素材を成型して上端に開口１３を有する直方体状の形状とするとともに、内容器２を、開口１３から挿入し蓋４が外方に突出する状態で、かつ、開口部分に内容器２との間に隙間が生じる状態で内装する外容器１１との二重構造としたものである。【選択図】図３
0003141401.tif 000002
【実用新案登録請求の範囲】
【請求項１】
プラスチック基材又は陶基材に、フェライト磁石粉末と、遠赤外線発生粉末と、イオン発生粉末と、ゲルマニウム粉末とを配合した内容器用素材を成型して得られた内容器と、
陶基材又はプラスチック基材に、フェライト磁石粉末と、遠赤外線発生粉末と、マイナスイオン発生粉末と、ゲルマニウム粉末とを配合して得られた外容器用素材を成型して得られるとともに、前記内容器を内装する外容器と、
の二重構造としたことを特徴とする容器。
【請求項２】
プラスチック基材又は陶基材に、フェライト磁石粉末と、遠赤外線発生粉末と、イオン発生粉末と、ゲルマニウム粉末とを配合した内容器用素材を成型して得られた内容器及び蓋と、
陶基材又はプラスチック基材に、フェライト磁石粉末と、遠赤外線発生粉末と、マイナスイオン発生粉末と、ゲルマニウム粉末とを配合して得られた外容器用素材を成型して得られるとともに、前記内容器を前記蓋部分が外方に突出する状態で内装する外容器と、
の二重構造としたことを特徴とする容器。
【請求項３】
プラスチック基材又は陶基材に、フェライト磁石粉末と、遠赤外線発生粉末と、イオン発生粉末と、ゲルマニウム粉末とを配合した内容器用素材を成型して得られた直方体状の内容器及び蓋と、
陶基材又はプラスチック基材に、フェライト磁石粉末と、遠赤外線発生粉末と、イオン発生粉末と、ゲルマニウム粉末とを配合して得られた外容器用素材を成型して上端に開口を有する直方体状の形状とするとともに、前記内容器を、前記開口から挿入し前記蓋部分が外方に突出する状態で、かつ、前記開口部分に内容器との間に隙間が生じる状態で内装する外容器と、
の二重構造としたことを特徴とする容器。
【請求項４】
前記内容器又は前記外容器のいずれか一方からなる構造としたことを特徴とする請求項１乃至３のいずれかに記載の容器。
【考案の詳細な説明】
【技術分野】
【０００１】
本考案は、容器に関し、例えば化粧品等を収納してその劣化防止を図ることができる特に二重容器に関するものである。
【背景技術】
【０００２】
例えば、化粧液等の化粧品を内部に収納する単体構造のプラスチック製の容器においては、製品の製造直後から徐々に空気中の雑菌や酸化等のために内部の化粧液の劣化がはじまり、やがては不良品に化してしまうという問題がある。
【０００３】
このような内部の化粧液等の劣化を長期間にわたって防止できるような容器は単体構造、二重構造を含めて見当たらないのが現状である。
特許文献１には、本考案に関連する技術として、化粧液用の容器内に、自然素材からなる鮮度維持体を袋詰め状態で収納し、化粧液の鮮度を長期にわたって維持するように構成した鮮度維持体浸漬化粧品が提案されている。
【０００４】
この特許文献１の場合、鮮度維持体を袋詰め状態で容器内に収納して化粧液の劣化防止を図るものであり、容器自体に化粧液の劣化防止機能を持たせたものではない。
【特許文献１】特開２００３−２２５１１７号公報
【考案の開示】
【考案が解決しようとする課題】
【０００５】
本考案が解決しようとする問題点は、化粧液等の化粧品を内部に収納した状態でその品質を長期にわたって維持し得る容器が存在しない点である。
【課題を解決するための手段】
【０００６】
本考案に係る容器は、プラスチック基材又は陶基材に、フェライト磁石粉末と、遠赤外線発生粉末と、イオン発生粉末と、ゲルマニウム粉末とを配合した内容器用素材を成型して得られた内容器と、陶基材又はプラスチック基材に、フェライト磁石粉末と、遠赤外線発生粉末と、マイナスイオン発生粉末と、ゲルマニウム粉末とを配合して得られた外容器用素材を成型して得られるとともに、前記内容器を内装する外容器と、の二重構造としたことを最も主要な特徴とする。
【考案の効果】
【０００７】
請求項１記載の考案によれば、プラスチック基材又は陶基材に、フェライト磁石粉末と、遠赤外線発生粉末と、イオン発生粉末と、ゲルマニウム粉末とを配合した内容器用素材を成型して得られた内容器と、陶基材又はプラスチック基材に、フェライト磁石粉末と、遠赤外線発生粉末と、マイナスイオン発生粉末と、ゲルマニウム粉末とを配合して得られた外容器用素材を成型して得られるとともに、前記内容器を内装する外容器とにより構成しているので、内容器内に収納する化粧品等の内容物の除菌・抗菌、腐敗防止、活性化等の作用を発揮させることができ、かつ、陶製又はプラスチック製の外容器による外光の反射作用で内容物の酸化防止も図ることができる斬新な容器を提供することができる。
【０００８】
請求項２記載の考案によれば、請求項１記載の考案と同様な効果を奏するとともに、内容器の蓋が外容器の外方に突出する構成としているので、開閉が極めて簡略な容器を提供することができる。
【０００９】
請求項３記載の考案によれば、請求項２記載の考案と同様な効果を奏するとともに、内容器、外容器とも直方体状とし、かつ、開口部分において内容器との間に隙間が生じるようにしているので、空気の流通によって内容物を安定した温度状態で保管することができる容器を提供することができる。
請求項４記載の考案によれば、前記請求項１乃至３における内容器又は外容器のいずれか一方から構成した容器であっても、請求項１乃至３に記載したとほぼ同等な各効果を奏することができる。
【考案を実施するための最良の形態】
【００１０】
本考案は、化粧液等の化粧品を内部に収納した状態でその鮮度を長期にわたって維持し得る斬新な容器を提供することを目的とする。
【００１１】
本考案に係る容器は、プラスチック基材又は陶基材に、フェライト磁石粉末と、遠赤外線発生粉末と、イオン発生粉末と、ゲルマニウム粉末とを配合した内容器用素材を成型して得られた直方体状の内容器及び蓋と、陶基材又はプラスチック基材に、フェライト磁石粉末と、遠赤外線発生粉末と、イオン発生粉末と、ゲルマニウム粉末とを配合して得られた外容器用素材を成型して上端に開口を有する直方体状の形状とするとともに、前記内容器を、前記開口から挿入し前記蓋部分が外方に突出する状態で、かつ、前記開口部分に内容器との間に隙間が生じる状態で内装する外容器と、の二重構造とした構成により上記目的を実現した。
【実施例】
【００１２】
以下に、本考案の実施例に係る容器について図面を参照して詳細に説明する。
【００１３】
本実施例に係る容器１は、図１乃至図４に示すように、プラスチック製又は陶製で蓋４付の内容器２と、この内容器２を内装する陶製又はプラスチック製の外容器１１との二重構造で、内容器２内に例えば化粧品である化粧液２０等の内容物を収納するように構成している。
【００１４】
前記蓋４付の内容器２は、略直方体状で上端側に円筒状の開口筒部３ａを備え、この開口筒部３ａの外周に雄ネジ３ｂを形成するとともに、内容物である化粧液２０等の収納部３ｃを備える略直方体状の容器本体３と、内周部に前記雄ネジ３ｂに噛合する雌ネジ４ａを備え、上端を閉塞して前記開口筒部３ａの施蓋を行なう円筒状の蓋４と、を具備している。
【００１５】
前記外容器１１は、前記内容器２の容器本体３よりも大寸法で、上端に開口１３を有する略直方体状に形成され、かつ、上端の開口１３からその内部に前記容器本体３を挿入して前記蓋４の部分が開閉に便利なように上方に突出する状態でこの容器本体３を起立状態に収用可能な収容空間１４を有する略直方体状の外容器本体１２により形成している。
【００１６】
また、前記開口１３の内壁部と、前記内容器２の外壁部との間には小寸法の隙間１５が形成されるようになっている。
【００１７】
前記内容器２の容器本体３及び蓋４は、例えばプラスチック基材又は陶基材に、フェライト磁石粉末（Ｆ）と、ビーム遠赤外線発生粉末（Ｂ）と、マイナスイオン発生粉末（Ｉ）と、ゲルマニウム粉末（Ｇ）とを配合して得られた内容器用素材を用い、成型することにより構成している。
【００１８】
前記外容器１１は、例えば陶基材又はプラスチック基材に、フェライト磁石粉末（Ｆ）と、ビーム遠赤外線発生粉末（Ｂ）と、マイナスイオン発生粉末（Ｉ）と、ゲルマニウム粉末（Ｇ）とを配合して得られた外容器用素材を用い、成型することにより構成している。
【００１９】
本実施例に係る容器１において、前記内容器２を前記外容器１１に内装した状態で、９０℃のお湯に２分間浸すと、内容器２を簡単に取り出すことができるように構成している。
【００２０】
前記内容器用素材の具体的配合例としては、プラスチック基材又は陶基材１００ｋｇに対して、フェライト磁粉末１００ｇ、医王石（黒）２００ｇ及び医王石（グリーン）２００ｇ、天然ミネラルイオン石（モナーズ）４０ｇ、ゲルマ粉末８０ｇを配合する例を挙げることができる。
【００２１】
同様に、前記外容器用素材の具体的配合例としては、陶基材又はプラスチック基材１００ｋｇに対して、磁力線を発生するフェライト磁粉末１００ｇ、ミネラルイオンを発生する医王石（黒）２００ｇ及び医王石（グリーン）２００ｇ、天然ミネラルイオン石（モナーズ）４０ｇ、ゲルマ粉末８０ｇを配合する例を挙げることができる。
【００２２】
次に、本実施例に係る容器１の作用、効果について図５をも参照して説明する。
【００２３】
本実施例に係る容器１によれば、蓋４付で化粧液２０を収納する内容器２と、この内容器２を内装する陶製又はプラスチック製の開口１３を有する外容器１１との二重構造とし、開口１３の内壁部と、前記内容器２の外壁部との間に小寸法の隙間１５を形成している。
【００２４】
従って、前記外容器１１の外壁に入射する光は、この外壁で反射し、内容器２、化粧液２０に到達することは無く、これにより、化粧液２０の酸化による劣化を防止することができる。
【００２５】
また、前記隙間１５を有することによって、この隙間１５を経て収容空間１４内に空気が流通することから、内容器２内の化粧液２０の温度上昇が抑制され、化粧液２０を安定した温度状態で保管することができる。
【００２６】
更に、前記内容器用素材を、プラスチック基材又は陶基材に対して、フェライト磁石粉末（Ｆ）と、ビーム遠赤外線発生粉末（Ｂ）と、マイナスイオン発生粉末（Ｉ）と、ゲルマニウム粉末（Ｇ）とを配合した構成とし、この内容器用素材を用いて容器本体３及び蓋４からなる内容器２を成型するとともに、前記外容器用素材を、陶基材又はプラスチック基材に対して、フェライト磁石粉末（Ｆ）と、ビーム遠赤外線発生粉末（Ｂ）と、マイナスイオン発生粉末（Ｉ）と、ゲルマニウム粉末（Ｇ）とを配合した構成とし、外容器用素材を用いて外容器１１を成型しているので、フェライト磁石粉末（Ｆ）、ビーム遠赤外線発生粉末（Ｂ）、マイナスイオン発生粉末（Ｉ）、ゲルマニウム粉末（Ｇ）による磁力線、遠赤外線、マイナスイオン、ミネラルイオン等が化粧液２０に総合的に作用することになる。
【００２７】
この結果、化粧液２０の除菌・抗菌、腐敗防止、活性化等の作用を発揮させることができ、更には、化粧品を使用する人の新陳代謝の促進、血行増進を図ることができ、美容効果の向上、健康増進をも期待できるという顕著な効果を奏する。
【００２８】
また、前記蓋４の部分が外容器１１の上方に突出するようにしているので、蓋４の開閉も極めて簡略である。
【００２９】
図５は、本実施例の容器１の大腸菌、黄色ブドウ球菌に関する抗菌効果試験の結果を示すものである。
【００３０】
本実施例の容器１によれば、図５から明らかなように、化粧液２０における大腸菌を０に、黄色ブドウ球菌を大幅に低減できることが判明した。
【００３１】
また、化粧液２０を収納した前記内容器２のみの場合でも、化粧液２０における大腸菌を０に、黄色ブドウ球菌を大幅に低減できることが判明した。
【００３２】
次に、本実施例に係る容器１の再利用の態様について概説する。
【００３３】
本実施例の容器１における例えば外容器１１は、コーヒー、紅茶、日本茶等の飲用カップとして利用でき、この場合、外容器１１内のコーヒー、紅茶等に既述したミネラルイオンが作用することから、一層おいしくコーヒー、紅茶等を飲むことができる。
【００３４】
また、例えば前記内容器２は、各種花の一輪ざしの花瓶として利用でき、この場合、既述したミネラルイオンの働きで花が生き生きとし長持ちするという効果を期待できる。
【００３５】
なお、本考案においては、前記実施例における内容器２又は外容器１１のいずれか一方から容器を構成した場合であっても、前記実施例に記載したとほぼ同等な各効果を奏することができる。
【産業上の利用可能性】
【００３６】
本考案に係る容器は、化粧品用として利用する場合の他、清涼飲料、健康飲料、醤油、酢等の調理用液体用として広範に利用可能である。
【図面の簡単な説明】
【００３７】
【図１】本考案の実施例に係る容器の正面図である。
【図２】本実施例に係る容器の側面図である。
【図３】図１のＡ−Ａ線断面図である。
【図４】図２のＢ−Ｂ線断面図である。
【図５】本実施例に係る容器の大腸菌、黄色ブドウ球菌に関する抗菌効果試験の結果を示す図である。
【符号の説明】
【００３８】
１    容器
２    内容器
３    容器本体
３ａ  開口筒部
３ｂ  雄ネジ
３ｃ  収納部
４    蓋
４ａ  雌ネジ
１１    外容器
１２    外容器本体
１３    開口
１４    収容空間
１５    隙間
２０    化粧液
【図１】
0003141401.tif 000003
【図２】
0003141401.tif 000004
【図３】
0003141401.tif 000005
【図４】
0003141401.tif 000006
【図５】
0003141401.tif 000007